(57)【要約】【目的】  学習机の側板などに取付けられて、ランドセル、鞄などが掛けられるランドセル用フックに関するものであり、取付け時の作業性に優れたランドセルフックを提供する。【構成】  、金属製フックと、金属製フックを保持するフック保持部材と、フック保持部材を回動自在に保持し、学習机の側板などに連結される連結保持部材より構成され、金属製フックは、フック保持部材よって斜め前方に突出する姿勢と、下方に突出する姿勢に選択可能に保持され、フック保持部材は、上端部に貫通孔が形成され、連結部材は、貫通孔を貫通し貫通孔の深さ寸法より大きい長さ寸法の貫通軸と、貫通孔より大径の保持用頭部からなり、貫通軸は中央部に連結ネジの螺軸が挿通する挿通孔を有し、保持用頭部は前記挿通孔に連続して連結ネジの頭部が位置する頭部保持孔を有しているものである。【選択図】   図２
2007307150.tif 000002
【特許請求の範囲】
【請求項１】
学習机の側板などに取付けられ、ランドセル、鞄などをかけるためのランドセル用フックであって、金属製フックと、金属製フックを保持するフック保持部材と、フック保持部材を回動自在に保持し、学習机の側板などに連結される連結保持部材より構成され、金属製フックは、フック保持部材よって斜め前方に突出する姿勢と、下方に突出する姿勢に選択可能に保持され、フック保持部材は、上端部に貫通孔が形成され、連結部材は、貫通孔を貫通し貫通孔の深さ寸法より大きい長さ寸法の貫通軸と、貫通孔より大径の保持用頭部からなり、貫通軸は中央部に連結ネジの螺軸が挿通する挿通孔を有し、保持用頭部は前記挿通孔に連続して連結ネジの頭部が位置する頭部保持孔を有していることを特徴とするランドセル用フック。
【発明の詳細な説明】
【技術分野】
【０００１】
本発明は、学習机の側板などに取付けられて、ランドセル、鞄などが掛けられるランドセル用フックに関するものである。
【背景技術】
【０００２】
この種のランドセル用フックは、金属製の棒を折り曲げて形成した金属製フックと、金属製フックを取付けるためのベースブロックを備え、ベースブロックは背面に学習机の側板などの取付け面に当接するフラット面を有し、正面から背面に貫通する取付けネジが挿通される取付け用貫通孔備え、金属製フックはベースブロックから下方に突出する姿勢と、斜め前方に突出する姿勢が選択可能となるようにベースブロックに固定されているものであった。（例えば、特許文献１参照。）
【０００３】
この場合、上記ランドセルフックを学習机の側板などに取付ける時は、取付け用貫通孔に挿通した取付けネジを、側板などに設けた螺孔に螺合させていくが、最後の固定時直前には、取付けネジの締め付け方向に取付けネジの回動と共にベースブロックも回動する。
したがって、金属製フックが横向きとなった状態で、学習机の側板などにランドセルフックが取付けられるのを防ぐため、取付けネジの最後の締め付け時には、ベースブロックを所定の状態（金属製フックが真っ直ぐに下方に突出する状態）に保持しながら締め付けなければならず、特に、狭い作業スペースでは、この時の作業姿勢が非常に煩わしかった。
【０００４】
【特許文献１】特開２００６−５５３５６号公報
【発明の開示】
【発明が解決しようとする課題】
【０００５】
本発明は、従来の問題点に鑑みて、取付けネジの最後の締め付け時にベースブロックを所定の姿勢に保持しなくても、金属製フックが常に真っ直ぐ下方に突出する、取付け時の作業性に優れたランドセルフックを提供する事を課題とする。
【課題を解決するための手段】
【０００６】
そこで、上記課題を解決する為、本発明が第１の手段として構成したところは、学習机の側板などに取付けられ、ランドセル、鞄などをかけるためのランドセル用フックであって、金属製フックと、金属製フックを保持するフック保持部材と、フック保持部材を回動自在に保持し、学習机の側板などに連結される連結保持部材より構成され、金属製フックは、フック保持部材よって斜め前方に突出する姿勢と、下方に突出する姿勢に選択可能に保持され、フック保持部材は、上端部に貫通孔が形成され、連結部材は、貫通孔を貫通し貫通孔の深さ寸法より大きい長さ寸法の貫通軸と、貫通孔より大径の保持用頭部からなり、貫通軸は中央部に連結ネジの螺軸が挿通する挿通孔を有し、保持用頭部は前記挿通孔に連続して連結ネジの頭部が位置する頭部保持孔を有しているものである。
【発明の効果】
【０００７】
請求項１に記載の発明によると、金属製フックは、フック保持部材よって斜め前方に突出する姿勢と、下方に突出する姿勢に選択可能にフック保持部材に保持されているので、金属製フックを斜め前方に突出する姿勢にすれば、その先端が学習机の側板表面から外側に突出するので、どのような形態のランドセルや鞄などであっても掛けやすくなる。
又、金属製フックを保持するフック保持部材に貫通孔が形成され、貫通孔を貫通する連結部材の貫通軸の長さ寸法を貫通孔の深さより大きく構成しているので、貫通軸の底部が学習机の側板などに当接した状態（連結部材が学習机の側板などに連結された状態）であっても、フック保持部材は連結部材の貫通軸によって回動自在に保持されているから、自重によって回動し、金属製フックが真っ直ぐ下方に突出する姿勢に維持されるので、取付け時の作業性に優れている。
又、連結部材は貫通孔より大径の保持用頭部を有しているので、連結部材が学習机の側板などに連結された状態で、フック保持部材が連結部材より抜け落ちることは一切ない。
さらに、貫通軸は中央部に連結ネジの螺軸が挿通する挿通孔を有し、保持用頭部は前記挿通孔に連続して連結ネジの頭部が位置する頭部保持孔を有しているもので、連結ネジの締め付け力の違いがフック保持部材の回動に影響を与えることは一切ない。
【発明を実施するための最良の形態】
【０００８】
本発明は、学習机の側板などに取付けられ、ランドセル、鞄などをかけるためのランドセル用フックであって、金属製フックと、金属製フックを保持するフック保持部材と、フック保持部材を回動自在に保持し、学習机の側板などに連結される連結保持部材より構成され、金属製フックは、フック保持部材よって斜め前方に突出する姿勢と、下方に突出する姿勢に選択可能に保持され、フック保持部材は、上端部に貫通孔が形成され、連結部材は、貫通孔を貫通し貫通孔の深さ寸法より大きい長さ寸法の貫通軸と、貫通孔より大径の保持用頭部からなり、貫通軸は中央部に連結ネジの螺軸が挿通する挿通孔を有し、保持用頭部は前記挿通孔に連続して連結ネジの頭部が位置する頭部保持孔を有しているものである。
【実施例】
【０００９】
以下、添付図面の図１〜図５に基づいて実施例を詳述する。
図１において、符号１００は本発明のランドセル用フックを示している。
ランドセル用フック１００は、学習机の側板などに連結ネジ１にて連結される連結保持部材２と、連結肘部材２に回動自在に保持されるフック保持部材３と、フック保持部材３に保持される金属製フック４より構成されている。
【００１０】
金属製フック４は、正面視において、鉛直方向の中心線に対して左右対称形に金属の丸棒（実施例では直径３ミリメートルの鉄の線材）より形成され、外方に突出し前記フック保持部材３に回動自在に嵌入する嵌入突部４１、４１が上端部に形成され、嵌入突部４１、４１の内側端部から下方に所定間隔（実施例では８ミリメートル）を有して下方に延出する腕部４２、４２と、腕部４２、４２の下端に連設されたフック部４３より構成されている。
フック部４３は、側面視において（図２）先端が前方斜め上方に突出し、下端部が腕部４２、４２の下端部と円弧状につながった形状に形成されている。
【００１１】
フック保持部材３は、合成樹脂材からなる縦長略方形状の基板３１の上端部に形成された所定の大きさの円形状の貫通孔３２と、貫通孔３２の下方で、基板３１の左右端部側に位置し、所定間隔を有して対向し、前方に突出するフック保持突部３３、３３と、フック保持突部３３、３３間で前記金属製フック４の腕部４２、４２間に位置し、上下方向に渡って形成された膨出部３４より構成されている。
【００１２】
そして、フック保持突部３３、３３の上端部内面側には前記金属製フック４の嵌入突部４１、４１が嵌入する嵌入孔３３１、３３１が形成され、腕部４２の上端部の上面に当接し、金属製フック４の下端部が斜め前方に突出する姿勢（腕部４２が４５度上向きに回動した姿勢）以上、前方への突出（４５度以上上向きに回動するの）を防止する回動防止突部３３２が一方の嵌入孔３３１の上部側で内方に突出して形成され、他方の腕部４２の上端部下面に当接し、金属製フック４の下端部が斜め前方に突出する姿勢（４５度上向きに回動した姿勢）を維持する（図４に示す状態）姿勢維持突部３３３が、回動防止突部３３２と反対側のフック保持突部３３の下端部前面側に内方に突出して形成されている。
【００１３】
連結保持部材２は、前記フック保持部材３の貫通孔３２を貫通し貫通孔３２の深さ寸法より大きい長さ寸法の貫通軸２１と、貫通孔３２より大径の保持用頭部２２から合成樹脂材より構成され、貫通軸２１は中央部に連結ネジ１の螺軸１１が挿通する挿通孔２１１を有し、保持用頭部２２は前記挿通孔２１１に連続して連結ネジ１の頭部１２が位置する頭部保持孔２２１を有しているものである。
【００１４】
すなわち、金属製フック４を図２に示す姿勢から図４に示す姿勢に変移させる時は、フック部４３を手前に持ち上げて腕部４２の弾性変形によって姿勢維持突部３３３を乗り越えさせ、同時に腕部４２の上端部の上面に回動防止突部３３２が当接し、上方への回動が阻止され、他方の腕部４２の上端部下面に姿勢維持突部３３３が当接し、金属製フック４は斜め前方に突出した姿勢（図４に示す姿勢）に維持される。
一方、図４に示す姿勢でフック部４３に下方向きに力を加えると、腕部４２は弾性変形によって姿勢維持突部３３３を乗り越えて下方に回動し、金属製フック４は下方に突出した姿勢となる。
以上のように、本発明のランドセル用フックは鞄、ランドセルに形態に応じて図２に示すようにフック保持部材３の下方に突出した姿勢、図４に示すように斜め前方に突出した姿勢で使用出来ると同時に、フック保持部材は自重によって回動し、金属製フックが真っ直ぐ下方に突出する姿勢に維持されるので、金属製フックの姿勢（例えば図１の仮想線に示す姿勢）に関係なく取付け作業ができるので、特に狭いスペースでの作業性に優れている。
【図面の簡単な説明】
【００１５】
【図１】本発明の正面図
【図２】本発明の要部縦断面図
【図３】本発明の要部横断面図
【図４】金属製フックの下端部を斜め前方に突出させた状態の本発明の要部縦断面図
【図５】金属製フックの正面図
【符号の説明】
【００１６】
１        連結ネジ
１１      螺軸
１２      頭部
１００    ランドセル用フック
２        連結保持部材
２１      貫通軸
２１１    挿通孔
２２      保持用頭部
２２１    頭部保持孔
３        フック保持部材
３２      貫通孔  
４        金属製フック
【図１】
2007307150.tif 000003
【図２】
2007307150.tif 000004
【図３】
2007307150.tif 000005
【図４】
2007307150.tif 000006
【図５】
2007307150.tif 000007